【手続補正書】
【提出日】平成16年4月26日(2004.4.26)
【手続補正１】
【補正対象書類名】明細書
【補正対象項目名】発明の名称
【補正方法】変更
【補正の内容】
【発明の名称】ガイドレール及びその成形方法並びに記録及び／又は再生装置
【手続補正２】
【補正対象書類名】明細書
【補正対象項目名】特許請求の範囲
【補正方法】変更
【補正の内容】
【特許請求の範囲】
【請求項１】
移動体の係合部と係合されて該移動体の移動時の案内をするガイドレールであって、
板金材料から成る被加工物のベース部に形成された開口部の開口縁にベース部と一体に形成された基部と、
基部の先端に該基部と所定の角度を為し基部と一体に形成された折曲部とを備えた
ことを特徴とするガイドレール。
【請求項２】
折曲部の端縁に横断面形状でＲ状の摺動面が形成された
ことを特徴とする請求項１に記載のガイドレール。
【請求項３】
折曲部は基部の先端部に対して直交するように折り曲げられ、
摺動面は折曲部の両端縁に形成されると共に屈曲部側の摺動面は基部の先端部に直交する方向に該基部の面に対して突出するように形成された
ことを特徴とする請求項２に記載のガイドレール。
【請求項４】
上記開口部の開口縁と基部とに補強用リブを形成した
ことを特徴とする請求項１に記載のガイドレール。
【請求項５】
上記開口部の開口縁と基部とに補強用リブを形成した
ことを特徴とする請求項２に記載のガイドレール。
【請求項６】
上記開口部の開口縁と基部とに補強用リブを形成した
ことを特徴とする請求項３に記載のガイドレール。
【請求項７】
移動体の係合部と係合されて該移動体の移動時の案内をするガイドレールの成形方法であって、
板金材料から成る被加工物のベース部に形成された開口部の開口縁に基部をベース部と一体に形成する基部加工工程と、
基部の先端に該基部と所定の角度を為す折曲部を折曲げ加工により基部と一体に形成する折曲部加工工程とを備える
ことを特徴とするガイドレールの成形方法。
【請求項８】
プレス成形により折曲部の端縁に横断面形状でＲ状の摺動面を形成する摺動面形成工程を備える
ことを特徴とする請求項７に記載のガイドレールの成形方法。
【請求項９】
折曲部は基部の先端部に対して直交するように折り曲げられ、
摺動面形成工程は摺動面を折曲部の両端縁に形成すると同時に屈曲部側の摺動面を基部の先端部に凹部を形成することにより基部の先端部に直交する方向に該凹部の面に対して突出するように形成するものである
ことを特徴とする請求項８に記載のガイドレールの成形方法。
【請求項１０】
移動体の係合部と係合されて該移動体の移動時の案内をするガイドレールであって、
板金材料から成る被加工物のベース部の外縁に形成された折曲縁の一部が折り曲げられて形成されると共にベース部と対向して位置する基部と、
基部の先端に該基部と所定の角度を為し基部と一体に形成された折曲部とを備えた
ことを特徴とするガイドレール。
【請求項１１】
折曲部の端縁に横断面形状でＲ状の摺動面が形成された
ことを特徴とする請求項１０に記載のガイドレール。
【請求項１２】
折曲部は基部の先端部に対して直交するように折り曲げられ、
摺動面は折曲部の両端縁に形成されると共に屈曲部側の摺動面は基部の先端部に直交する方向に該基部の面に対して突出するように形成された
ことを特徴とする請求項１１に記載のガイドレール。
【請求項１３】
移動体の係合部と係合されて該移動体の移動時の案内をするガイドレールの成形方法であって、
板金材料から成る被加工物のベース部の外縁に形成された折曲縁の先端部を所定の角度折り曲げて折曲部を形成する折曲部加工工程と、
折曲縁の一部を折り曲げてベース部と対向して位置する基部を形成する基部加工工程とを備える
ことを特徴とするガイドレールの成形方法。
【請求項１４】
プレス成形により折曲部の端縁に横断面形状でＲ状の摺動面を形成する摺動面形成工程を備える
ことを特徴とする請求項１３に記載のガイドレールの成形方法。
【請求項１５】
折曲部は基部の先端部に対して直交するように折り曲げられ、
摺動面形成工程は摺動面を折曲部の両端縁に形成すると同時に屈曲部側の摺動面を基部の先端部に凹部を形成することにより基部の先端部に直交する方向に該凹部の面に対して突出するように形成するものである
ことを特徴とする請求項１４に記載のガイドレールの成形方法。
【請求項１６】
基部における凹部が形成されていない部分からベース部までの距離が、屈曲部側の摺動面における頂部からベース部までの距離と同じか又は小さくされた
ことを特徴とする請求項１５に記載のガイドレールの成形方法。
【請求項１７】
移動体の係合部と係合されて該移動体の移動時の案内をするガイドレールであって、
板金材料から成る被加工物のベース部に形成された開口部の開口縁にベース部と一体に形成された基部と、
基部の先端に該基部と所定の角度を為し基部と一体に形成された折曲部とを備えたガイドレールを備えた記録及び／又は再生装置。
【手続補正３】
【補正対象書類名】明細書
【補正対象項目名】０００１
【補正方法】変更
【補正の内容】
【０００１】
【発明の属する技術分野】
本発明はガイドレール及びその成形方法並びに記録及び／又は再生装置に関する。詳しくは、移動体の係合部と係合されて該移動体の移動時の案内をするガイドレール及びその成形方法並びに記録及び／又は再生装置であって、部品点数の削減等によりコストの低減を図ると共にガイドレールの被加工物のベース部に対する位置精度の向上を図る技術に関する。


【手続補正４】
【補正対象書類名】明細書
【補正対象項目名】０００９
【補正方法】変更
【補正の内容】
【０００９】
【課題を解決するための手段】
本発明ガイドレールは、上記した課題を解決するために、板金材料から成る被加工物のベース部に形成された開口部の開口縁にベース部と一体に形成された基部と、基部の先端に該基部と所定の角度を為し基部と一体に形成された折曲部とを備えたものである。そして、本発明記録及び／又は再生装置は、このようなガイドレールを備えたものである。
【手続補正５】
【補正対象書類名】明細書
【補正対象項目名】００１３
【補正方法】変更
【補正の内容】
【００１３】
従って、本発明ガイドレール及びその成形方法並びに記録及び／又は再生装置にあっては、被加工物とは別にガイドレールを成形し、これを被加工物のベース部に支持させる必要がない。


【手続補正６】
【補正対象書類名】明細書
【補正対象項目名】０１７５
【補正方法】変更
【補正の内容】
【０１７５】
【発明の効果】
以上に記載したところから明らかなように、本発明ガイドレール並びに記録及び／又は再生装置は、移動体の係合部と係合されて該移動体の移動時の案内をするガイドレール、またはかかるガイドレールを備えた記録及び／又は再生装置であって、板金材料から成る被加工物のベース部に形成された開口部の開口縁にベース部と一体に形成された基部と、基部の先端に該基部と所定の角度を為し基部と一体に形成された折曲部とを備えたので、被加工物とは別にガイドレールを形成し、これを被加工物のベース部に支持させる必要がなく、また、取付のための取付ネジも必要ないため、部品点数の削減を図ることができ、これによりコストの低減に寄与する。


【手続補正７】
【補正対象書類名】明細書
【補正対象項目名】符号の説明
【補正方法】変更
【補正の内容】
【符号の説明】
１…ＭＤ再生装置（再生装置）、２００…メカシャーシ（被加工物）、２１０…主面部（ベース部）、２１１…折曲縁、２１５…開口部、２３０…光学ピックアップ（移動体）、２３３…補助ガイドレール（ガイドレール）、２３３ａ…Ｌ字折曲部（基部）、２３３ｂ…折曲片（折曲部）、２３３ｃ…上面（摺動面）、２３３ｄ…下面（摺動面）、２３３ｅ…部分（凹部）、２３３ｆ…補強用凹凸（補強用リブ）、２３５…被案内片（係合部）、２４０…補助ガイドレール（ガイドレール）、２４１…Ｌ字折曲部（基部）、２４２…折返し片（折曲部）、２４５…補助ガイドレール（ガイドレール）、２４６…基部、２４７…折曲部、２４７ａ…円弧面（摺動面）、２４７ｂ…円弧面（摺動面）、２４８ｂ…部分（凹部）